(57)【要約】【課題】鳥獣を効果的に追い払うことができ、しかも簡単な構造でかつ容易に設置することができる鳥獣追払い装置を得る。【解決手段】鳥獣追払い装置１０は、風力によって回転するプロペラ１２を備えており、このプロペラ１２の回転軸１４に接触可能にアーム部材２４が取り付けられている。アーム部材２４には鈴２８が取り付けられており、回転するプロペラ１２の回転軸１４にアーム部材２４が接触して弾性変形し断続的に弾かれることで、鈴２８が鳴り、鳥獣を追い払うことができる。極めて簡単な構造であるため、低コストであり、容易に設置することができ、設置場所を選ばない。【選択図】　　　　図１
2004008172.tif 000002
【特許請求の範囲】
【請求項１】
風力によって回転するプロペラと、前記回転状態のプロペラに接触可能に設けられかつ弾性変形可能なアーム部材と、前記アーム部材に取り付けられた鈴と、を備えた鳥獣追払い装置。
【請求項２】
前記アーム部材を、前記回転状態のプロペラに接触可能な位置と前記プロペラに接触しない位置との間で位置調整可能に設けた、
ことを特徴とする請求項１記載の鳥獣追払い装置。
【発明の詳細な説明】
【０００１】
【発明の属する技術分野】
本発明は、例えば雀、椋鳥、烏等の鳥獣を追い払うための鳥獣追払い装置に関する。
【０００２】
【従来の技術】
例えば無人の果樹園や水田等においては、例えば雀、椋鳥、烏等の鳥獣を追い払うために、所謂「かかし」等の人形や光を乱反射させる反射テープなどを設置することが行われている。
【０００３】
しかしながら、従来のこの種の鳥獣追払い器具は、何れも対象となる鳥獣が次第に慣れてしまい、期待するほどに効果を上げられないのが現実であった。
【０００４】
またこの場合、防護網やネットなどで果樹園や水田等の全体を覆うことで鳥獣による被害を防止しようとすると、装置が大掛かりになると共にその設置作業も繁雑であり、極めて非効率的でコスト高である。
【０００５】
【発明が解決しようとする課題】
本発明は上記事実を考慮し、鳥獣を効果的に追い払うことができ、しかも簡単な構造でかつ容易に設置することができる鳥獣追払い装置を得ることが目的である。
【０００６】
【課題を解決するための手段】
請求項１の発明に係る鳥獣追払い装置は、風力によって回転するプロペラと、前記回転状態のプロペラに接触可能に設けられかつ弾性変形可能なアーム部材と、前記アーム部材に取り付けられた鈴と、を備えている。
【０００７】
請求項１記載の鳥獣追払い装置は、例えば無人の果樹園等に設置される。ここで、風力によってプロペラが回転すると、この回転状態のプロペラにアーム部材が接触して弾性変形される（プロペラの回転に伴って断続的にアーム部材が弾かれる）。このアーム部材には鈴が取り付けられているため、アーム部材が弾性変形する度に（断続的にアーム部材が弾かれる度に）鈴が鳴り、鳥獣を追い払うことができる。
【０００８】
また、この鳥獣追払い装置は、プロペラと、アーム部材と、鈴と、を備えた極めて簡単な構造であるため、低コストであり、容易に設置することができ、設置場所を選ばない（設置箇所の適用の範囲に制限がない）。また、風力によって作動するため、別の新たな電源やモータ等の大掛かりな装置が不要であり、これによっても低コストになる。
【０００９】
請求項２の発明に係る鳥獣追払い装置は、請求項１記載の鳥獣追払い装置において、前記アーム部材を、前記回転状態のプロペラに接触可能な位置と前記プロペラに接触しない位置との間で位置調整可能に設けた、ことを特徴としている。
【００１０】
請求項２記載の鳥獣追払い装置では、アーム部材の位置調整をすることで、このアーム部材が回転状態のプロペラに接触可能な位置（すなわち、鈴が鳴る状態）と、プロペラには接触しない位置（すなわち、鈴が鳴らない状態）とにすることができる。
【００１１】
したがって、アーム部材の「プロペラ接触可能位置」を微調整すれば、アーム部材の弾性変形度合い、すなわち鈴の音の強弱を任意に調整することができる。また例えば、昼間は前記「鈴が鳴る状態」にしておき、夜間は前記「鈴が鳴らない状態」にすれば、不要に鈴が鳴ることによる近所迷惑を防止することもできる。
【００１２】
【発明の実施の形態】
図１には本発明の実施の形態に係る鳥獣追払い装置１０の全体構成が斜視図にて示されている。
【００１３】
この鳥獣追払い装置１０は、プロペラ１２を備えている。プロペラ１２は、パイプ材から形成された回転軸１４と、この回転軸１４の長手方向両端部分にそれぞれ固定された風受板１６とによって構成されている。回転軸１４は、例えばプラスチック製の丸パイプ材によって形成されており、一方、風受板１６は、所定のピッチ（捻れ角）を持ってビス１８によって回転軸１４に固定された構成となっている。さらに、このプロペラ１２は、回転軸１４の中央（中間）部が支軸２０を介して基材２２に回転自在に支持されている。これにより、プロペラ１２は、基材２２に対して、風受板１６が受ける風力によって回転するようになっている。
【００１４】
また、プロペラ１２を支持する基材２２には、一対のアーム部材２４が取り付けられている。アーム部材２４は、基材２２の周囲に摺動可能に嵌め込まれたアームホルダ２６に取り付けられている。このアーム部材２４は、例えばピアノ線等の弾性変形可能な部材から形成されており、図２（Ａ）にも示す如く、その先端部は回転状態のプロペラ１２の回転軸１４に接触可能となっている（プロペラ１２の回転面に入り込んでいる）。したがって、プロペラ１２が回転すると、アーム部材２４はプロペラ１２の回転軸１４に接触して弾性変形し、断続的に弾かれる構成である。
【００１５】
各アーム部材２４には、それぞれ鈴２８が取り付けられている。このため、前述の如くアーム部材２４が断続的に弾かれると、鈴２８が鳴るようになっている。
【００１６】
また、アーム部材２４を支持するアームホルダ２６は、基材２２の軸線方向に沿って移動可能であり、止めネジ３０によって所定位置で保持される構成である。すなわち、アームホルダ２６を基材２２の軸線方向に沿って移動させることで、図２（Ａ）に示す如くアーム部材２４が回転状態のプロペラ１２に接触する位置（すなわち、鈴２８が鳴る状態）と、図２（Ｂ）に示す如くアーム部材２４がプロペラ１２には接触しない位置（すなわち、鈴２８が鳴らない状態）とにすることができる。
【００１７】
一方、プロペラ１２と反対側の基材２２の後端部には、風向板３２が取り付けられている。
【００１８】
さらに、基材２２は、その中央（中間）部が支軸３４を介して支柱３６に回転自在に支持されている。これにより、基材２２は、支柱３６に対して、風向板３２が受ける風力によってプロペラ１２が風上側を向くように回転（方向転換）するようになっている。
【００１９】
次に本実施の形態の作用を説明する。
【００２０】
前述の如く構成される鳥獣追払い装置１０は、例えば果樹園や水田等の地面に支柱３６を突き刺すことで設置される。
【００２１】
ここで、風受板１６が受ける風力によってプロペラ１２が回転すると、この回転状態のプロペラ１２の回転軸１４にアーム部材２４が接触して弾性変形される（プロペラ１２の回転に伴って断続的にアーム部材２４が弾かれる）。このアーム部材２４には鈴２８が取り付けられているため、アーム部材２４が弾性変形する度に（断続的にアーム部材２４が弾かれる度に）鈴２８が鳴り、鳥獣を追い払うことができる。
【００２２】
また、この鳥獣追払い装置１０は、基材２２に回転自在に支持されたプロペラ１２と、基材２２（アームホルダ２６）に取り付けられたアーム部材２４と、鈴２８と、を備えた極めて簡単な構造であるため、低コストであり、容易に設置することができ、設置場所を選ばない（設置箇所の適用の範囲に制限がない）。また、風力によって作動するため、別の新たな電源やモータ等の大掛かりな装置が不要であり、これによっても低コストになる。
【００２３】
さらに、この鳥獣追払い装置１０では、アームホルダ２６を基材２２の軸線方向に沿って移動させてアーム部材２４の位置調整をすることで、図２（Ａ）に示す如くアーム部材２４が回転状態のプロペラ１２（回転軸１４）に接触可能な位置（すなわち、鈴２８が鳴る状態）と、図２（Ｂ）に示す如くアーム部材２４がプロペラ１２（回転軸１４）には接触しない位置（すなわち、鈴２８が鳴らない状態）とにすることができる。
【００２４】
したがって、アーム部材２４の「プロペラ１２接触可能位置」を微調整すれば、アーム部材２４の弾性変形度合い、すなわち鈴２８の音の強弱を任意に調整することができる。また例えば、昼間は前記「鈴２８が鳴る状態」にしておき、夜間は前記「鈴２８が鳴らない状態」にすれば、不要に鈴２８が鳴ることによる近所迷惑を防止することもできる。
【００２５】
なお、前記実施の形態においては、プロペラ１２が一対の風受板１６を備える構成としたが、これに限らず、風受板１６を３個以上備えた構成としてもよく、本装置を設置する場所の周辺気象条件（風力条件）等に応じて適宜設定すればよい。また、同様に前記実施の形態においては、一対のアーム部材２４を備えた構成としたが、これに限らず、アーム部材２４を３個以上備えた構成としてもよい。さらに、アーム部材２４に取り付ける鈴２８としては、種々の形状や個数あるいは音色のものが適用可能であり、対象とする鳥獣に応じて適宜設定すればよい。
【００２６】
また、前記実施の形態においては、鳥獣追払い装置１０が支柱３６を備え、この支柱３６を果樹園等の地面に突き刺すことで設置される構成としたが、これに限らず、当該支柱３６に代えて取付クランプ等の取付具を設け、果樹園等の樹木に直接に取り付けるようにすることも可能である。
【００２７】
【発明の効果】
以上説明した如く本発明に係る鳥獣追払い装置は、鳥獣を効果的に追い払うことができ、しかも簡単な構造でかつ容易に設置することができるという優れた効果を有している。
【図面の簡単な説明】
【図１】本発明の実施の形態に係る鳥獣追払い装置の構成を示す斜視図である。
【図２】本発明の実施の形態に係る鳥獣追払い装置のアーム部材の取付位置調節状態を示し、（Ａ）は「鈴が鳴る状態」を示す側面図であり、（Ｂ）は「鈴が鳴らない状態」を示す側面図である。
【符号の説明】
１０　　鳥獣追払い装置
１２　　プロペラ
１４　　回転軸
１６　　風受板
２２　　基材
２４　　アーム部材
２６　　アームホルダ
２８　　鈴
３２　　風向板
３６　　支柱
【図１】
2004008172.tif 000003
【図２】
2004008172.tif 000004